(57)【特許請求の範囲】
【請求項１】
床基部に配置されるパネル支持脚により四隅部が支承されて床基部上適宜高さに配置される定型フロアパネルにより形成される一般床面の最外周縁部を端部支持脚に支承させるとともに、
前記最外周縁部と壁面との間隙部を板状のボーダープレートにより閉塞する二重床の端部構造であって、
前記四隅部には定型フロアパネルの表面より一段低い位置に連結片が突設され、
前記端部支持脚は連結片を上方から押圧する押さえ片を備え、
前記ボーダープレートは一端縁部が定型フロアパネル上に載置されて屈曲可能な薄肉テープにて固定されるとともに、前記間隙部に固定されたプレート支承体上に載置される二重床の端部構造。
【請求項２】
床基部に配置されるパネル支持脚に支承されて床基部上適宜高さに配置される定型フロアパネルにより形成される一般床面の最外周縁部を支承する端部支持脚であって、
前記定型フロアパネルが備える連結片を上方から押さえ込む押さえ片と、
定型フロアパネルの裏面を支承するパネル支承片とを有し、
前記パネル支承片が定型フロアパネルの下方への回動を許容する回動スペースを確保して配置され、
かつ、前記パネル支承片は、隣接する定型フロアパネルの四隅部裏面を支承可能に２個設けられ、
前記押さえ片は、前記隣接する定型フロアパネルの四隅部に設けられる連結片に対応して２個設けられ、
前記いずれか一方の押さえ片が連結片に対応する押圧位置から定型フロアパネルに干渉しない位置まで下方に折曲可能な端部支持脚。
【請求項３】
前記連結片は、先端が四分円形状に切り欠かれ、これに押さえ片が嵌合する請求項２記載の端部支持脚。
【発明の詳細な説明】
【０００１】
【発明の属する技術分野】
本発明は、二重床の端部構造に関するものである。
【０００２】
【従来の技術】
正方形状の定型フロアパネルを敷き詰めて形成される一般床面と壁面との間の定型フロアパネル一枚分の長さに満たない間隙をボーダープレートにより閉塞する二重床の端部構造としては、例えば実開平４-１３７１４４号公報に記載されたものが知られている。この従来例において、一般床面の最外周縁部は端部支持脚によって支承され、ボーダープレートは、一端縁部を最外周縁部上に載置し、他端縁に形成された下方への折り曲げ部を支持脚に固定されたＬ字形状の金具と壁面との間に形成される隙間に差し込んで保持される。
【０００３】
【発明が解決しようとする課題】
しかし、上述した従来例において、ボーダープレートの一般床面側の一端縁部は最外周縁部上に載置されているため、ボーダープレートを確実に固定するためには、最外周縁部が上下方向に移動しないように固定される必要がある。
【０００４】
この従来例において、端部支持脚は最外周縁部を下方から支持しているため、定型フロアパネルの裏面と端部支持脚とをボルト等の適宜の固定手段により連結することも考えられるが、その場合には定型フロアパネルが端部支持脚と連結可能な形状を物理的に、例えば厚さなどを備えていなければならず、さらに、定型フロアパネルに連結部を形成しなければならないという欠点をも有するものである。
【０００５】
また、一般床面の最外周縁部を支承する端部支持脚としては、特開平１１-３１５６２７号公報の図５および図１４に記載されたものが知られている。この第２の従来例において、端部支持脚は上部にコ字型の金物を連結して形成され、該コ字型金物に定型フロアパネルの側縁を嵌合させることで最外周縁部が固定される。
【０００６】
この発明はボーダープレートの使用が考慮されていないが、仮にこれを上述したボーダープレートの一端縁部が載置される最外周縁部に転用した場合には、端部支持脚は最外周縁部を固定する。しかし、この場合にはコ字型金物の上フランジの厚みが定型フロアパネル上に突出してしまうため、段差が発生するという欠点を有するものとなる。すなわち、もともとボーダープレートは最外周縁部上に載置されるため、薄く形成することで段差を発生させなくしているのに対して、前述の固定によってボーダープレート載置前に既に段差が発生していれば、ボーダープレートが重なることでさらに段差が積み重なるので、使用上差し支える段差が発生してしまう。
【０００７】
一方、二重床の端部には、壁面に配置される電気配線等の保守点検のために、二重床形成後に床基部を開放しやすい構成が求められている。そして、ボーダープレートは接着等により一般床面に固定されるだけなのでその取り外しが容易であるが、そもそも定型フロアパネルの一辺分の長さに満たない間隙部しか閉塞していないため、面積が狭くて保守点検等に適さない場合も考えられる。そのため、最外周縁部を支承する端部支持脚には、支承する定型フロアパネルを取り外しやすい構成が求められる。
【０００８】
しかし、上述した第２の従来例において、端部支持脚は定型フロアパネルの一端縁部を上下から面接触して挟持することから、定型フロアパネルを取り外すためにはその開口部方向に引き出すしかなく、同一方向上の別の定型フロアパネルをも取り外さなければならないという欠点を有する。
【０００９】
本発明は、以上の欠点を解消すべくなされたものであって、壁面近傍における保守作業性等に優れた二重床の端部構造の提供を目的とする。
【００１０】
また、本発明の他の目的は、上記二重床の端部構造に最適な端部支持脚の提供にある。
【００１１】
【課題を解決するための手段】
本発明によれば上記目的は、
床基部１に配置されるパネル支持脚２により四隅部が支承されて床基部１上適宜高さに配置される定型フロアパネル３により形成される一般床面４の最外周縁部５を端部支持脚６に支承させるとともに、
前記最外周縁部５と壁面７との間隙部を板状のボーダープレート８により閉塞する二重床の端部構造であって、
前記四隅部には定型フロアパネル３の表面より一段低い位置に連結片９が突設され、
前記端部支持脚６は連結片９を上方から押圧する押さえ片１０を備え、
前記ボーダープレート８は一端縁部１１が定型フロアパネル３上に載置されて屈曲可能な薄肉テープ１２にて固定されるとともに、前記間隙部に固定されたプレート支承体１３上に載置される二重床の端部構造を提供することにより達成される。
【００１２】
定型フロアパネル３の四隅部がパネル支持脚２により支承されて一般床面４を形成する本発明において、四隅部には定型フロアパネル３の表面より一段低い位置に連結片９が突設される。これにより、端部支持脚６が連結片９を上方から押圧する場合でも、押さえ片１０の厚さを調整すれば定型フロアパネル３の表面には段差が発生しない。
【００１３】
また、このように平滑に形成される一般床面４の最外周縁部５にボーダープレート８の一端縁部１１を載置することで、ボーダープレート８を薄く形成すれば見栄えや歩行感に影響するような段差の発生は防止される。なお、ボーダープレート８には、耐荷重等を考慮した上で、なるべく薄い適宜の金属板材が使用される。
【００１４】
そして、このように薄いボーダープレート８の強度は、間隙部に配置されるプレート支承体１３上にボーダープレート８を載置することで補強される。なお、ボーダープレート８の一般床面４上の一端縁部１１は薄肉テープ１２で固定されるため、段差の発生の心配はない。
【００１５】
さらに、ボーダープレート８の一般床面４側の一端縁部１１を一般床面４に固定する屈曲可能な薄肉テープ１２は、一般床面４との接合状態を維持したままで、それ自体が撓むことによりヒンジ部材として機能させることもできる。この結果、ボーダープレート８は一般床面４側の一端縁部１１を支点として回転することができ、必要に応じてボーダープレート８の設置領域の床下空間を簡単に開放することができる。
【００１６】
この薄肉テープ１２はボーダープレート８の設置位置を決定した後、貼り付けることができるために、壁面７と一般床面４との間隙の大きさが異なっていても、壁面７側の端縁を壁面７に当接させた後、反対側の一端縁部１１を薄肉テープ１２で固定するだけで、ボーダープレート８等に何らの加工を加えることなく間隙を確実に閉塞することができ、融通性が高い上に、ボーダープレート８あるいは一般床面４に格別のヒンジ部材を配置する必要がないために、構造も簡単になる。
【００１７】
なお、薄肉テープ１２は、ボーダープレート８を回転させた際に容易に破断、剥離することなく、かつ、適度の可撓性を有するならば適宜の材料を使用できるが、見栄え、強度等を考慮して、アルミニウム等の金属製シートを使用するのが望ましい。
【００１８】
また、二重床の端部床面を板状のボーダープレート８により形成する本発明において、壁面７と当接する端部の構築時に定型フロアパネル３を壁面７との間隙部に合わせて切断する等の作業が不要になるために、切断作業に伴う施工性の低下を防止できるという利点をも有する。
【００１９】
次に、上述した二重床の端部構造を構成するために、
床基部１に配置されるパネル支持脚２に支承されて床基部１上適宜高さに配置される定型フロアパネル３により形成される一般床面４の最外周縁部５を支承す る端部支持脚６であって、
前記定型フロアパネル３が備える連結片９を上方から押さえ込む押さえ片１０と、
定型フロアパネル３の裏面を支承するパネル支承片１４とを有し、
前記パネル支承片１４が定型フロアパネル３の下方への回動を許容する回動スペース１５を確保して配置され、
かつ、前記パネル支承片１４は、隣接する定型フロアパネル３の四隅部裏面を支承可能に２個設けられ、
前記押さえ片１０は、前記隣接する定型フロアパネル３の四隅部に設けられる連結片９に対応して２個設けられ、
前記いずれか一方の押さえ片１０が連結片９に対応する押圧位置から定型フロアパネル３に干渉しない位置まで下方に折曲可能な端部支持脚６を使用することができる。
【００２０】
上述したように、ボーダープレート８の回転操作を可能にした場合でも、該ボーダープレート８に隣接する定型フロアパネル３も取り外し可能に構成することが望ましい。
【００２１】
一方、ボーダープレート８により二重床の端部の床面を構成する場合には、最外周に配置される定型フロアパネル３は、壁面４側に隣接する他の定型フロアパネル３が存在しないために、該定型フロアパネル３を強固に支持する特別の構成が必要となる。すなわち、定型フロアパネル３を使用して形成される一般床面４の中央部は定型フロアパネル３の衝接四隅部を適宜の押圧手段で押さえ込むことにより定型フロアパネル３同士を強固に連結、固定できるが、一般床面４の外周縁においては、壁面７側に隣接する他の定型フロアパネル３が存在しないために、固定ができない。
【００２２】
端部支持脚６は、このような課題を解決するために提案されるもので、押さえ片１０が定型フロアパネル３の外周に設けられる連結片９を押さえることにより、一般床面４の最外周外縁部５における固定がなされる。
【００２３】
また、パネル支承片１４が、定型フロアパネル３の下方への回動を許容する回動スペース１５を確保して配置されることにより、図５に示すように、一般床面４の中央側に位置する端縁を上方に引き起こすだけで外周部の定型フロアパネル３を取り除くことができ、保守作業等がやりやすくなる。
【００２５】
さらに、この端部支持脚６において、パネル支承片１４と押さえ片１０は、一般床面４の外周に隣接する２枚の定型フロアパネル３の四隅部を支承、押圧可能なよう に、２個ずつ設けられる。２個の押さえ片１０は互いに独立して下方への折曲が許容され、折曲させることによって定型フロアパネル３に干渉しない位置まで退 避させることができる。
【００２６】
図６に示すように、一般床面４の外周四隅部に配置される定型フロアパネル３の取り外し時の引き上げ側周縁を押さえる押さえ片１０を下方に屈曲させて使用すると、該定型フロアパネル３は、当該箇所における上方からの拘束がない状態となるために、他の定型フロアパネル３と同様に、簡単に取り外すことができる。
【００２７】
さらにまた、連結片９の先端を四分円形状に切り欠いて形成し、前述した押さえ片１０をこれに嵌合するように四分円形状とすることで、定型フロアパネル３の水平方向のがたつきを防止することができる。
【００２８】
【発明の実施の形態】
図１に本発明の実施の形態を示す。この実施の形態において、二重床は、正方形状の複数の定型フロアパネル３により形成される一般床面４と、一般床面４の最外周縁部５に配置され、壁面７との間隙を閉塞する境界面１６とから構成される。
【００２９】
定型フロアパネル３は、図３に示すように、上面パネル１７の裏面に裏面パネル１８を接合して形成され、各定型フロアパネル３は、一般床面４の中央部においては、図２に示すように、裏面四隅部が床基部１上に設置されたパネル支持脚２により支承され、かつ、四隅部の衝合部をパネル押さえ１９により押さえ付けて設置される。
【００３０】
定型フロアパネル３間の連結を行うために、定型フロアパネル３の四隅部には、先端が四分円形状に切り欠かれた連結片９が設けられ、４枚の定型フロアパネル３、３・・を上記切欠の中心を合致させて配置することにより、突き当て部にパネル押さえ１９が挿通可能な開口２０が形成される。連結片９は、上面パネル１７の表面から一段低い位置に形成され、上述した姿勢で４枚のパネルを衝合させると、各連結片９を底部とする凹部が衝合部に形成される。この衝合姿勢において上記凹部内にパネル押さえ１９の頭部を嵌合させ、パネル押さえ１９のストッパ突起（図示しない）をパネル支持脚２の係止片（図示しない）に係止させると、パネル押さえ１９とパネル支持脚２とが連結片９を挟持し、４枚の定型フロアパネル３、３・・が連結される。パネル押さえ１９の頭部の高さは上記凹部の深さ寸法にほぼ一致しており、定型フロアパネル３の連結状態において、４枚の定型フロアパネル３、３・・の表面とパネル押さえ１９の頭部表面により平滑な一般床面４が形成される。
【００３１】
上記一般床面４の最外周縁部５は端部支持脚６により支承される。図４に示すように、端部支持脚６は、金属板材を加工して製せられる単一構成部品であり、床基部１上への固定片２１と、定型フロアパネル３の裏面を支承する二個のパネル支承片１４、１４と、上記定型フロアパネル３の連結片９を上方から押圧する押さえ片１０とを備える。平面視六角形状に形成される固定片２１には、床基部１への接着剤による接着性を高めるための接着剤通過孔２２が透孔され、また、固定片２１には、２個のパネル支承片１４、１４の中間位置を示す位置決め用のノッチ２３が形成される。この接着剤通過孔２２は、接着剤を固定片２１または床基部１に厚めに塗布して接合した場合に、接着剤が該接着剤通過孔２２から溢れて透孔に対して閂状となることで、接着強度を向上させるものである。また、ノッチ２３は、端部支持脚６の床基部１への固定作業時の位置合わせに使用される。
【００３２】
図４に示すように、押さえ片１０は、固定片２１の前方辺（以下、この明細書において、後述する定型フロアパネル３の装着方向を前方とする。）から垂直に折り曲げられる立ち上がり壁２４の先端をさらに後方に向けて水平に折曲して形成される。この押さえ片１０は、隣接配置される２枚の定型フロアパネル３、３の各連結片９、９により形成される半円形状の凹部に嵌合可能な半円形状をなす。なお、押さえ片１０を連結片９の表面と定型フロアパネル３の表面との段差に収納できる厚さに形成することで、押さえ片１０が定型フロアパネル３の表面から突出しなくなる。
【００３３】
一方、パネル支承片１４は、固定片２１の一対の後方傾斜辺から立ち上がる立ち上がり片２５の先端を水平に折り曲げて形成され、パネル支承片１４の上面と上記押さえ片１０の裏面間の間隔は、定型フロアパネル３の連結片９の上面から、裏面パネル１８の下面までの厚さ方向寸法に一致する。
【００３４】
したがってこの実施の形態において、一般床面４の外周を形成する定型フロアパネル３は、図５（ａ）に示すように、やや後方に傾けた姿勢で連結片９を押さえ片１０の下方に挿入した後、図５（ｂ）に示すように、水平姿勢とすることにより装着が可能で、装着状態において、図４（ｂ）に示すように、各定型フロアパネル３は裏面がパネル支承片１４上に支承され、かつ、連結片９の上面が押さえ片１０により下方に押し付けられて上下方向に固定される。同時にまた、押さえ片１０は、前述した隣接する２枚の定型フロアパネル３、３の連結片９、９が形成する凹部に嵌合して定型フロアパネル３を水平方向にも固定する。なお、この場合、図４（ｃ）に示すように、押さえ片１０の裏面に圧接突起２６を膨隆させておくことで、連結片９への押圧力が高まるために、効果的に連結片９を固定できる。
【００３５】
また、この実施の形態において、連結片９は、定型フロアパネル３の装着状態で、定型フロアパネル３の裏面先端部よりも前方、かつ上方に突出して形成され、図４（ｂ）に斜線で示すように、連結片９の下方で、かつ、パネル支承片１４の前方に、定型フロアパネル３を回動できる回動スペース１５が設けられる。
【００３６】
この定型フロアパネル３の装着状態において、該定型フロアパネル３の後端縁を図４（ｂ）において上方（矢印Ａ方向）に引き上げると、定型フロアパネル３は、押さえ片１０との当接部を回転中心として矢印Ｂ方向に回転し、この後、定型フロアパネル３を後方に引き出すことにより端部支持脚６から脱離する。
【００３７】
この場合、定型フロアパネル３は、定型フロアパネル３の表面が押さえ片１０の後端部に当接して、押さえ片１０の後端部を回転中心としてスムーズに回転する。すなわち、回動スペース１５は、定型フロアパネル３が一般床面４側の端縁を引き上げられたときに、その端部支持脚６側の裏面先端部に干渉しないように下げることのできる領域と、その端部支持脚６側の連結片９先端部に干渉しないように下げることのできる領域とからなる定型フロアパネル３の回動を許容する領域を有する。
【００３８】
また、連結片９を定型フロアパネル３の裏面から突設させずに形成した場合には、定型フロアパネル３の裏面先端部が回転できるようにパネル支承片１４を押さえ片１０よりも後方に配置して回動スペース１５を確保すればよい。さらにまた、定型フロアパネル３が回動するためには、押さえ片１０の後端部の下方に定型フロアパネル３の実際の厚みよりも広い定型フロアパネル３の傾斜を許容する領域も必要になることから、パネル支承片１４は押さえ片１０よりも一定間隔後方に配置する必要がある。
【００３９】
なお、押さえ片１０とパネル支承片１４との前後位置は、定型フロアパネル３が押さえ片１０とパネル支承片１４とに当接する位置の前後関係、取り外し時の傾斜角度、および挟持状態における定型フロアパネル３の安定性を考慮して適宜決定する。
【００４０】
さらに、上記押さえ片１０の中心部には、スリット２７が形成され、余肉部２８をペンチ等の工具で切断することにより隣接する各定型フロアパネル３の連結片９に対応する左右の分割個片２９、２９に切り離すことができる。押さえ片１０を各定型フロアパネル３に対応させて切り離した端部支持脚６は、図６に示すように、一般床面４の最外周縁部５の四隅部において使用される。すなわち、当該位置の定型フロアパネル３は、その三隅部が押さえ片１０により上方から押圧されていることから、どの端縁も上方に引き上げることができないために取り外しが不可能であるが、対応する分割個片２９’、すなわち、上方に引き上げる端縁に対応する側の分割個片２９’を下方に屈曲することにより、当該部位における押さえ片１０と連結片９との干渉が回避されるために、定型フロアパネル３への傾斜操作が可能になる。なお、前述したスリット２７による押さえ片１０の切断を容易にするために、押さえ片１０の先端部には切り込み３０が入れられる。また、押さえ片１０の基端部に透孔を形成すると、各分割個片２９の折曲作業を容易にすることができる。
【００４１】
以上のように形成される一般床面４の最外周縁部５と壁面７との間隙はボーダープレート８により閉塞される。図７に示すように、ボーダープレート８は、定型フロアパネル３の一辺長に等しい幅方向寸法を有する１枚の薄板状の金属板材により形成され、ボーダープレート８の先端は下方に折曲されてクッション材３１を貼り付けるためのクッション保持片３２となる。
【００４２】
このボーダープレート８は、一端縁部１１が一般床面４上に載置され、裏面をプレート支承体１３に支持されて配置される。図８および図９に示すように、プレート支承体１３は、一般床面４とほぼ同一の高さを有する箱形形状で、合成樹脂で一体に射出成型して形成される。このプレート支承体１３は、底部に形成される接着片３５において床基部１上に接着、固定され、その上面に載置されるボーダープレート８の強度を補強する。
【００４３】
なお、プレート支承体１３は、境界面１６の大きさ、すなわちボーダープレート８の実際の引き出し距離および面積を考慮して、人などが乗っても耐えられる強度が出るように、引き出し長さの中央部分などに所定間隔で複数配置することが望ましい。
【００４４】
上記ボーダープレート８の一般床面４側の一端縁部１１には、ボーダープレート８の板厚による段差発生を防止するためのスローププレート３３が連結される。スローププレート３３は、図７に示すように、ボーダープレート８の一端縁部１１側に形成される連結部３４をボーダープレート８の一端縁部１１裏面に当接させて装着され、反対端縁に行くに従って一般床面４の表面に向かって傾斜する。
【００４５】
上記ボーダープレート８とスローププレート３３とは、薄肉テープ１２により連結される。薄肉テープ１２には、アルミニウムテープが使用され、ボーダープレート８とスローププレート３３の両表面を跨架するようにして上方から両者に貼り付けられる。
【００４６】
したがってこの実施の形態において、一般床面４を施工した後、壁面７との間隙部に、各定型フロアパネル３ごとにボーダープレート８を配置し、次いで、各ボーダープレート８をクッション材３１が壁面７に当接するまで壁面７方向にスライドさせて間隙部を閉塞する。この後、各ボーダープレート８の一端縁部１１にスローププレート３３の連結部３４を滑り込ませ、さらに、スローププレート３３の反対端縁裏面にあらかじめ貼着された両面テープによりスローププレート３３を一般床面４に接着し、次いで、ボーダープレート８裏面の薄肉テープ１２をスローププレート３３に貼り付ける。
【００４７】
この状態において、ボーダープレート８の設置領域の床下空間へのアクセスが必要となった場合には、図９（ａ）に示すように、ボーダープレート８の壁面７側の端縁を引き上げると、ボーダープレート８は一般床面４側の一端縁部１１を回転中心として図９（ｂ）に示すように、回転し、当該領域の床下空間を開放できる。
【００４８】
図１０にボーダープレート８の変形例を示す。この変形例におけるボーダープレート８の一般床面４側の一端縁部１１は波形に切断される。一端縁部１１を波形形状にすることにより、足裏の段差を感じる部位を分散させ、歩行時の違和感を少なくすることができる。この場合には、スローププレート３３を介する必要はなく、ボーダープレート８を直接一般床面４上に載置し、波形形状の一端縁部１１をまたいでアルミテープ（１２）が貼付される。
【００４９】
なお、本実施の実施形態においては、端部支持脚６の押さえ片１０を分割して２個の分割個片２９、２９にするが、定型フロアパネル３が十分固定できるだけの強度があれば、当初から押さえ片１０を分割して２個の分割個片２９、２９を形成してもよい。
【００５０】
【発明の効果】
以上の説明から明らかなように、本発明によれば、一般床面と壁面との間隙部における二重床の施工が容易で、かつ、端部支持脚は一般床面上に段差を発生させずにずれを防止して定型フロアパネルを固定できるので、二重床構築後における保守作業等が行いやすくなる。
【図面の簡単な説明】
【図１】本発明を示す図で、（ａ）は二重床の壁面境界部を示す平面図、（ｂ）は（ａ）の１Ｂ-１Ｂ線断面図である。
【図２】定型フロアパネルの支持脚および端部支持脚による支承状態を示す斜視図である。
【図３】定型フロアパネルを示す図で、（ａ）は四隅部を拡大して示す平面図、（ｂ）は四隅部の衝合状態を示す平面図、（ｃ）は図１（ａ）の定型フロアパネル３の固定状態を示す半断面図である。
【図４】端部支持脚を示す図で、（ａ）は平面図、（ｂ）は（ａ）の４Ｂ-４Ｂ線断面図、（ｃ）は（ａ）の４Ｃ-４Ｃ線断面図である。
【図５】定型フロアパネルの端部支持脚への挿入（取り外し）手順を示す断面図で、（ａ）は挿入（取り外し）状態、（ｂ）は支承状態である。
【図６】定型フロアパネルの取り付け（取り外し）状態を示す斜視図である。
【図７】ボーダープレートを示す図で、（ａ）は分解斜視図、（ｂ）は断面図である。
【図８】ボーダープレートの施工手順を示す図で、（ａ）はボーダープレートのスライド前の状態を示す断面図、（ｂ）はボーダープレートのスライド後の状態を示す断面図、（ｃ）は（ｂ）の８Ｃ-８Ｃ線断面図である。
【図９】ボーダープレートの回転操作を示す図で、（ａ）は回動前半、（ｂ）は回動により間隙部が開口した状態を示す図である。
【図１０】ボーダープレートの変形例を示す図で、（ａ）は斜視図、（ｂ）は取り付け状態を示す平面図である。
【符号の説明】
１        床基部
２        パネル支持脚
３        定型フロアパネル
４        一般床面
５        最外周縁部
６        端部支持脚
７        壁面
８        ボーダープレート
９        連結片
１０      押さえ片
１１      一端縁部
１２      薄肉テープ
１３      プレート支承体
１４      パネル支承片
１５      回動スペース
【図１】
0004555518.tif 000002
【図２】
0004555518.tif 000003
【図３】
0004555518.tif 000004
【図４】
0004555518.tif 000005
【図５】
0004555518.tif 000006
【図６】
0004555518.tif 000007
【図７】
0004555518.tif 000008
【図８】
0004555518.tif 000009
【図９】
0004555518.tif 000010
【図１０】
0004555518.tif 000011